(57)【特許請求の範囲】
【請求項１】
ベースから自由端に延びる複数のブラシ毛の配列を備え、
前記複数のブラシ毛の少なくともいくつかまたは全ては、相対的に広い、前記ベースからテーパの付いた第１の部分と、相対的に狭く、前記第１の部分から前記自由端に延びる第２の部分とからなり、
前記ベースにおいて非円形の横断面を備える前記複数のブラシ毛の前記第１の部分は、前記第２の部分と接するところで実質的に円形の断面になるように徐々に形が変わっており、
前記複数のブラシ毛は、間隙を介して相隔たり、オフセットされた２以上の行に配列されており、１つの行内の前記複数のブラシ毛の前記第１の部分の少なくとも一部が、隣接する１つの行内の隣接する複数のブラシ毛の間を延びるように前記複数の行の複数の中心線が間隙を介して相隔っており、及び/または、
前記複数の行を垂直な方向から見たときに、１つの行内の前記複数のブラシ毛の前記第１の部分の幅は、それらの長さの一部にわたって、隣接する１つの行内の前記複数のブラシ毛の間の間隔を部分的に塞ぐように、隣接する１つの行の隣接する複数のブラシ毛の間の間隔と同じかまたは該間隔よりも大きく、
前記複数のブラシ毛は、使用時において、前記第２の部分が髪に入りこんで前記複数のブラシ毛の間に髪を分けるように働き、髪が前記複数のブラシ毛の間を通る際に、張力が髪に加わえられることを前記第１の部分が可能にするように、前記ブラシ毛の寸法と配置が定められていることを特徴とする髪のスタイリング用ヘアブラシ。
【請求項２】
同じ方向から見たとき、前記第１の部分及び第２の部分を備える前記複数のブラシ毛の前記第１の部分の最も幅広い部分の幅は、前記第２の部分の自由端または該自由端に近い部分の前記ブラシ毛の幅の少なくとも２倍または３倍である請求項１に記載の髪のスタイリング用ヘアブラシ。
【請求項３】
前記第１の部分及び第２の部分を備える前記複数のブラシ毛の長さは、その最大幅の７倍または９倍以下である請求項１または２に記載の髪のスタイリング用ヘアブラシ。
【請求項４】
前記第１の部分及び第２の部分を備える前記複数のブラシ毛の前記第１の部分の２つの対向するエッジは、前記第１の部分の全長にわたって前記対向する２つのエッジの間で少なくとも１０°の最小平均角度を持って互いに向かうテーパを持っており、前記第２の部分の対向する２つエッジは、前記第２の部分の全長にわたって前記対向するエッジの間が５°の最大平均角度を持って互いに向かうテーパを持っている請求項１乃至３のいずれか１項に記載の髪のスタイリング用ヘアブラシ。
【請求項５】
前記第１の部分の対向する２つのエッジの間の角度は、前記ブラシ毛の前記ベースから前記第１の部分の端部に向かって増加している請求項４に記載の髪のスタイリング用ヘアブラシ。
【請求項６】
前記第１の部分の対向する２つのエッジは、湾曲している請求項５に記載の髪のスタイリング用ヘアブラシ。
【請求項７】
前記複数のブラシ毛の前記第１の部分は、その全長の少なくとも一部にわたって横断面が非円形である請求項１乃至６のいずれか１項に記載の髪のスタイリング用ヘアブラシ。
【請求項８】
前記複数のブラシ毛の前記第１の部分の横断面形状は、その全長の少なくとも一部にわたって伸びている請求項７に記載の髪のスタイリング用ヘアブラシ。
【請求項９】
前記複数のブラシ毛の前記第１の部分は、その全長の少なくとも一部の横断面が実質的に楕円形である請求項８に記載の髪のスタイリング用ヘアブラシ。
【請求項１０】
前記楕円形の横断面の長軸上に位置する前記第１の部分の２つのエッジは、前記第１の部分の全長にわたって湾曲パスで互いに近づいており、前記楕円形の横断面の短軸上に位置する前記第１の部分の２つのエッジは、前記第１の部分の全長にわたって実質的に直線パスで互いに近づいている請求項９に記載の髪のスタイリング用ヘアブラシ。
【請求項１１】
実質的に全ての前記複数のブラシ毛が前記第１の部分及び前記第２の部分を備えている請求項１乃至１０のいずれか１項に記載の髪のスタイリング用ヘアブラシ。
【請求項１２】
前記第２の部分の長さは、前記第１の部分の長さより長くない請求項１乃至１１のいずれか１項に記載の髪のスタイリング用ヘアブラシ。
【請求項１３】
前記複数のブラシ毛は、それらの断面が前記ベースから前記自由端に向かって減少していくようにテーパがついており、前記複数のブラシ毛のテーパの度合いは、前記第１の部分と前記第２の部分との境界において急に変化する請求項１乃至１２のいずれか１項に記載の髪のスタイリング用ヘアブラシ。
【請求項１４】
実質的に楕円形の断面を備えた複数のブラシ毛が、複数のブラシ毛の概ね平行で長い行と複数のブラシ毛の概ね平行な短い行とから形成された、細長い長方形の複数のブラシ毛の配列を形成する請求項９に記載の髪のスタイリング用ヘアブラシ、または請求項９に従属する請求項１０乃至１３のいずれか１項に記載の髪のスタイリング用ヘアブラシ。
【請求項１５】
各ブラシ毛の楕円形の断面の長軸が、そのブラシ毛が一部を形成する長い行の方向と実質的に一致する請求項１４に記載の髪のスタイリング用ヘアブラシ。
【発明の詳細な説明】
【技術分野】
【０００１】
本発明は、髪のスタイリング用ヘアブラシに関する。
【背景技術】
【０００２】
髪をスタイリングする際、通常、専門的な美容師はヘアドライヤによって熱を加えながら、様々な量の張力を髪に加える。これにより、熱により、髪がまっすぐになり、そして形作られて、セットされ望みの髪型になる。
【０００３】
張力はヘアブラシにより加えられる。短い髪にはラウンドブラシが用いられる。髪に張力が加えられるようにブラシのブラシ毛（bristle）により掴まれ、髪がブラシのブラシ毛の間を滑らかに通るように、髪をブラシの上に巻き付ける。髪の間でより速くブラシを動かすと、より大きい張力が髪に加わる。長い髪には、より大きい直径のラウンドブラシか、パドルブラシが用いられる。
【０００４】
しかしながら、この技術を用いる際は、素人が用いたり、自分自身の髪をスタイリングするのは困難であるという問題が生じる。髪を掴み、張力を加えることができるようにするため、ヘアブラシのブラシ毛は、ぎっしりと詰まっている必要がある。髪を持ち上げ、その髪をこのようなブラシ毛の中におろして向かわせるのは難しい。また、髪をブラシ毛の間を通すときに、髪がしばしば固まり、髪を引っ張ることにつながり、不快感や、髪ののびや、抜け毛の原因となる。髪の中にもつれが存在する際に、ヘアブラシを用いて張力を加えると、もつれにおいて髪はすぐに引っ掛かる。
【０００５】
他の髪のスタイリングの技術としては、髪を逆立てるものがある。この技術では、張力により髪を保持し、人の頭皮から離れるように延ばし、そして頭皮に戻すように徐々にブラシをかける。スタイリストの手から数本の髪を同時にすき、頭皮に向かって戻すこの方法は、かたまりを作るようにもつれを髪に導入する。このステップに続き、もつれを取り除き、魅力的な外観にするために、逆立てた髪のかたまりの外層にやさしくブラシをかける。
【発明の概要】
【発明が解決しようとする課題】
【０００６】
張力を加えた髪に熱を加えるのと同様に、この技術もまた髪を掴むことができるブラシを用いることが要求されるため、同様の困難に直面する。また、逆立てに続いて、外層を滑らかにするために、第２のブラシまたはくしが要求される。
【０００７】
これらの課題を考慮して、本発明の実施の形態は作られた。
【課題を解決するための手段】
【０００８】
本発明の形態においては、髪のスタイリング用ヘアブラシを提供する。ブラシは、ベースから自由端にそれぞれ延びる複数のブラシ毛の配列を備え、複数のブラシ毛の少なくともいくつかまたは全てが、相対的に広い、ベースからテーパの付いた第１の部分と、相対的に狭く、第１の部分から自由端に延びる第２の部分とからなり、複数のブラシ毛は間隙を介して相隔たり、オフセットされた２以上の行に配列されており、１つの行内の複数のブラシ毛の第１の部分の少なくとも一部が、隣接する１つの行内の隣接する複数のブラシ毛の間を延びるように複数の行の複数の中心線が間隙を介して相隔っており、及び／または、複数の行と垂直な方向から見たとき、１つの行内の複数のブラシ毛の第１の部分の幅は、それらの長さの一部にわたって、隣接する１つの行内の複数のブラシ毛の間の間隔を部分的に塞ぐように、隣接する１つの行内の複数のブラシ毛の間の間隔と同じかまたは該間隔よりも大きく、使用時において、第２の部分が髪に入りこんで複数のブラシ毛の間に髪を分けるように働き、髪が複数のブラシ毛の間を通る際に、張力が髪に加わえられることを第１の部分が可能にするように、ブラシ毛の寸法と配置が定められている。
【０００９】
複数のブラシ毛の第１の部分は、もつれを取り除くことを役立つだけではなく、髪を容易に分けることに役立つ。また、逆立てた髪の外層を滑らかにするためにも役に立つ。これらの大きな幅と複数のブラシ毛の配置の効果により、複数のブラシ毛の第１の部分の間の間隔は、複数のブラシ毛の第２の部分の間の間隔より小さい。その結果、複数のブラシ毛の第１の部分の間を髪が通るにつれて、複数のブラシ毛と髪の間により強い摩擦が生じ、髪に張力を加えることができる。
【００１０】
複数のブラシ毛の第１及び／または第２の部分は柔軟でもよく、弾力的に柔軟でもよい。複数のブラシ毛の第２の部分は第１の部分よりも柔軟でもよい。
【００１１】
複数のブラシ毛の第１の部分は、第２の部分よりも大きい断面積を備えていてもよい。
【００１２】
配列内またはブラシの、複数のブラシ毛の全てまたはかなりの割合（少なくとも半分）は、第１の部分と第２の部分を備えている。これらの全て、または配列内またはブラシ内の複数のブラシ毛の、全てまたは実質的に全ては、実質的に同じ形状をしていてもよい。
【００１３】
同じ方向から見たとき、第１の部分と第２の部分を備える複数のブラシ毛の第１の部分の最も幅広い部分の幅は、第２の部分のいずれかの部分、または第２の部分の自由端または該自由端に近い部分のブラシ毛の幅の少なくとも２倍、３倍または４倍であってもよい。同じ方向から見たとき、第１の部分と第２の部分を備える複数のブラシ毛の第１の部分の最も幅広い部分の幅は、第２の部分のいずれかの部分、または第２の部分の自由端または該自由端に近い部分のブラシ毛の幅の１２倍または１５倍より大きくなくてもよい。第１の部分と第２の部分を備える複数のブラシ毛の長さは、その最大幅の７倍、９倍または１０倍以下であってもよい。第１の部分と第２の部分を備える複数のブラシ毛の長さは、その最大幅の２倍より小さくなくてもよい。
【００１４】
ある望ましい形態では、複数のブラシ毛のベースの幅と、先端または先端に近い部分の幅、あるいは第２の部分のいずれかの部分の幅との比率は、４から１０の範囲で変動し、約６の比率が特に有益である。ブラシ毛の全長と最大幅との比率は、２から５の範囲で変動してもよく、約３の比率が特に有益である。
【００１５】
上記のさまざまな範囲で、ブラシ毛の第１の部分と第２の部分の性能の十分なバランスが備えられていることが見出されている。
【００１６】
複数のブラシ毛の幅は、これらのベースと自由端との間で連続または不連続に変化していてもよい。その全長の一部の間、望ましくは複数のブラシ毛の第１の部分の範囲において、複数のブラシ毛の幅は、同じ長さで幅が変化する均一のテーパが付いたブラシ毛のテーパの角度よりも大きい角度で減少してもよい。これにより、配置された複数のブラシ毛の第２の部分の間の間隔は、第１の部分の間の間隔よりもかなり大きくすることができる。このことは、過度に長くすることなく、ブラシ毛の２つの部分が異なる機能を果たすことを可能にしている。
【００１７】
第１の部分と第２の部分を備える複数のブラシ毛の第１の部分の２つの対向するエッジ(edges)は、第１の部分の全長にわたって対向する２つのエッジの間で少なくとも１０°の最小平均角度を持って互いに向かうテーパを持っていてもよく、第２の部分の対向する２つのエッジは、第２の部分の全長にわたって対向するエッジの間が５°の最大平均角度を持って互いに向かうテーパを持っていてもよい。第１の部分の２つの対向するエッジは、少なくとも１５°または１８°の最小平均角度を持って互い向かうテーパを持っていてもよい。
【００１８】
第１の部分の対向する２つのエッジの間の角度は、ブラシ毛のベースから第１の部分の端部に向かって増加していてもよい。第１の部分の対向する２つのエッジは、湾曲していてもよい。
【００１９】
第１の部分の全ての対向するエッジは、第１の部分の全長にわたって対向するエッジの間が少なくとも５°の最小平均角度を持って互いに向かうテーパを持っていてもよい。
【００２０】
ブラシ毛のテーパの角度は、第１の部分と第２の部分との境界において急に変化していてもよい。
【００２１】
これらの特徴は、緩やかなテーパのみの第２の部分に向かって、第１の部分の全長または全長のわずかな割合の部分において、相対的に急なテーパを持つ幅広の第１の部分を備えたブラシ毛を提供している。
【００２２】
複数のブラシ毛の第１の部分は、その全長の少なくとも一部または実質的に全ての部分の横断面が非円形であってもよい。その横断面の形状は、伸びている形状であってもよいし、実質的に楕円形であってもよい。ベースにおいて非円形の断面を備える複数のブラシ毛の第１の部分は、第２の部分と接するところで実質的に円形の断面になるように徐々に形が変わってもよい。第１の部分と第２の部分を備える複数のブラシ毛の第１の部分は、第２の部分が始まる位置で終結してもよい。複数のブラシ毛は、第１の部分と第２の部分のみで構成されてもよい。
【００２３】
楕円形の断面を備えた第１の部分の全長の少なくとも一部においては、該楕円形の断面の長軸上に位置する第１の部分の２つのエッジが、第１の部分の全長にわたって湾曲パス（curved path）で互いに近づいていてもよい。楕円形の断面の短軸上に位置する第１の部分のエッジは、第１の部分の全長にわたって実質的な直線パス（straight path）で互いに近づいていてもよい。
【００２４】
第２の部分は、第２の部分の全長又は実質的に全長にわたって、実質的に円形の断面を備えていてもよい。
【００２５】
第２の部分の全ての対向する複数のエッジは、第２の部分の全長にわたって対向する複数のエッジの間が３°の最大平均角度を持って互いに向かうテーパを持っていてもよい。
【００２６】
第２の部分の長さは、第１の部分の長さの少なくとも４分の１又は２分の１であってもよい。第２の部分の長さは、第１の部分の長さより長くなく、または第１の部分の２倍の長さより長くなくてもよい。
【００２７】
全てのブラシ毛は互いに間隙を介して相隔たっていてもよい。これにより、髪がブラシに固まるリスクが減少する。
【００２８】
本発明の他の形態では、ヘアブラシは、複数のブラシ毛の配列を備えており、複数のブラシ毛の少なくともいくつかのブラシ毛又は全てのブラシ毛は、それらの全長またはその一部にわたって細長い形状の横断面を備えており、複数のブラシ毛は間隙を介して相隔たり、オフセットされた２以上の行に配列されており、１つの行内の複数のブラシ毛の第１の部分の少なくとも一部が隣接する１つの行内の隣接する複数のブラシ毛の間を延びるように複数の行の複数の中心線が間隙を介して相隔っており、複数の行と垂直な方向から見たとき、１つの行内の複数のブラシ毛の第１の部分の幅は、それらの長さの一部にわたって、隣接する１つの行内の複数のブラシ毛の間の間隔を部分的に塞ぐように１つの列のブラシ毛の幅は、隣接する１つの行内の隣接する複数のブラシ毛の間の間隔と同じかまたは該間隔よりも大きい。
【００２９】
複数のブラシ毛の横断面の細長い形状は、実質的に楕円形であってもよい。配列の全て又は一部にわたって、複数のブラシ毛が実質的に同じ形状であてもよい。
【００３０】
以下は、本発明の両方の形態の任意的な特徴である。
【００３１】
各行内の隣接した複数のブラシ毛のベースは、複数のブラシ毛のベースの最大幅の半分に満たない距離で間隔を空けていてもよい。
【００３２】
ある実施の形態では、複数のブラシ毛は、最大２．５ｍｍの間隔を空けていてもよい。
【００３３】
１つの行内の複数のブラシ毛の複数のベースは、隣接する行の隣接する複数のブラシ毛の間の間隔に満たない距離で、隣接する行の最も近いブラシ毛のベースと間隔を空けていてもよい。
【００３４】
１つの行内の複数のブラシ毛の複数のベースは、隣接する行の最も近いブラシ毛のベースと最大２ｍｍの間隔を空けていてもよい。
【００３５】
１つの行内の複数のブラシ毛の幅と形状は、隣接する行の複数のブラシ毛の間の間隔を部分的にのみ塞ぐようになっていてもよい。
【００３６】
複数のブラシ毛からなる各行は、実質的に真っ直ぐであってもよいし、曲がっていてもよい。複数のブラシ毛からなる各行は、概ね平行であってもよい。各行内の複数のブラシ毛、または隣接する複数の行内の複数のブラシ毛は、実質的に同じ距離で全て均一の間隔を空けていてもよい。
【００３７】
１つの行内のそれぞれのブラシ毛の中心が、隣接する１つの行内の複数のブラシ毛の中間点と一直線になるように、隣接する複数の行は互いにオフセットされていてもよい。
【００３８】
複数のブラシ毛は、それらの断面がベースから自由端に向かって減少していくようにテーパが付いていてもよい。この配置においては、複数のブラシ毛の間の間隔の幅は、ベースに向かって減少する。したがって、より多くの髪が複数のブラシ毛の間に移動し、複数のブラシ毛の間の減少した間隔と複雑な通路を持つ複数のブラシ毛により多くの髪が掴まれることで、より大きな張力を髪に加えることができる。
【００３９】
複数のブラシ毛のテーパの度合いは、第１の部分と第２の部分との境界において急に変化してもよい。
【００４０】
少なくとも３行または４行の複数のブラシ毛からなる行を備えていてもよい。
【００４１】
実質的に楕円形の断面を備えた複数のブラシ毛が、複数のブラシ毛の概ね平行で長い行と複数のブラシ毛の概ね平行な短い行とから形成された、細長い長方形の複数のブラシ毛の配列を形成してもよい。この配置においては、各ブラシ毛の楕円形の断面の長軸が、そのブラシ毛が一部を形成する長い行いの方向と実質的に一致してもよい。
【００４２】
ブラシ毛はモールド成形されていてもよく、プラスチック材料、特に弾性的に柔軟なプラスチック材料、でモールド成形されていてもよい。
【図面の簡単な説明】
【００４３】
【図１】ヘアブラシの平面図である。
【図２】図１のヘアブラシの端部から見た図である。
【図３】下側から見た図１のヘアブラシの斜視図である。
【図４】上から見た図１のヘアブラシの斜視図である。
【図５】図１のヘアブラシのブラシ毛の配列の一部の斜視図である。
【図６】図５のブラシ毛の配列の平面図である。
【図７】図５のブラシ毛の配列の端部から見た図である。
【図８】図５のブラシ毛の配列の側面図である。
【図９】図６のＡ−Ａ線断面図である。
【図１０】図８のＢ−Ｂ線の断面の斜視図である。
【図１１】図１０の円形部の拡大図である。
【図１２】図８のＣ−Ｃ線拡大断面図である。
【図１３】他のヘアブラシの平面図である。
【図１４】上から見た図１３のヘアブラシの斜視図である。
【図１５】下から見た図１３のヘアブラシの斜視図である。
【図１６】図１３のヘアブラシの端部から見た図である。
【図１７】他のヘアブラシの斜視図である。
【図１８】図１７のヘアブラシの平面図である。
【図１９】図１７のヘアブラシの端部から見た図である。
【図２０】他のヘアブラシの斜視図である。
【図２１】図２０のヘアブラシのブラシ毛の配列の側面図である。
【図２２】図２１のブラシ毛の配列の端部から見た図である。
【図２３】図２１のブラシ毛の配列の平面図である。
【図２４】図２１のＤ−Ｄ線断面図である。
【図２５】図２３のＥ−Ｅ線断面図である。
【図２６】図２５の円形部の拡大図である。
【発明を実施するための形態】
【００４４】
本発明をより明確に理解させるために、ほんの一例として、添付の図面を参照しながら、以下で実施の形態を説明する。
【００４５】
以下において、前面、背面、平面、底面及び同様の用語は、説明する物品の方向を言及するものであり、別の限定を加えるものではない。
【００４６】
図１乃至図４で示すヘアブラシについて言及する。ヘアブラシは、長方形の短辺の一つによって形成された、本体の端部の一つの概ね中間点から概して垂直に延びる細長い取っ手２と一体にモールド成形された略長方形の本体１から構成されている。本体と取っ手は、概ね同一平面に延びている。本体の下側には、取っ手と一体化する概ね凸面が備えられている。対向する本体の上側には、挿入物３が嵌合されて中に入る空洞が確定されている。
【００４７】
ブラシの上側の挿入物の露出した表面は、概して凸状で、部分的に円筒状の表面を備えている。挿入物は、挿入物３の露出した表面から概して垂直に突き出たモールド成形された複数のブラシ毛４を構成するか、または支持する。
【００４８】
各ブラシ毛４は、他のブラシ毛と実質的に一致している。全ての複数のブラシ毛は、弾性的に柔軟なプラスチック材料で形成されたベース（挿入物３の全てまたは一部を形成してもよい）と一緒に一体としてモールド成形されている。適切な材料は、コポリエステル（copolyesters）や脂肪族ポリアミド（aliphatic polyamides）［ナイロン（nylons）］、特にE.I.du Pont de Nemours and CompanyからHytrelの商標で販売されているコポリエステルのような熱可塑性エラストマー（thermoplastic elastomers）が適切な材料である。４５から８２のShore DのHytrelの硬さのグレードが、特に適切である。
【００４９】
各ブラシ毛４は、長軸と垂直な短軸を備えた略楕円形状の断面のベースを備えている。テーパが付いたブラシ毛はベースから離れて延びている。ブラシ毛の第１の部分５の全長にわたってブラシ毛はテーパが付いており、ブラシ毛の断面形状は楕円から略円形に変化する。
【００５０】
図９は、複数のブラシ毛の楕円形の断面の長軸に沿ったブラシ毛４の断面を示している。この図からわかるように、延ばした長軸が通るブラシ毛のエッジは、ブラシ毛がベースから離れるに従い、角度を大幅に増加させて互いに近づいている。対向するエッジは、湾曲パスで互いに近づいている。
【００５１】
図１２は、複数のブラシ毛の楕円形の断面の短軸に沿ったブラシ毛４の断面を示している。延ばした短軸が通るブラシ毛のエッジは、実質的に一定の角度で互いに近づいており、ブラシ毛のエッジは、実質的な直線である。
【００５２】
ブラシ毛の第１の部分の端部は、断面が実質的な円形である。この点において、ブラシ毛の第２の部分が始まる。ブラシ毛の第２の部分にわたって、ブラシ毛の断面は実質的な円形を維持し、ドーム状の表面の自由端に向かって、ブラシ毛はテーパが付いている。ブラシ毛の第２の部分におけるテーパの度合いは、特に第２の部分と隣接した第１の部分のテーパの度合いと比較すると、第１の部分よりもかなり小さい。したがって、第１の部分と第２の部分との接点におけるブラシ毛の表面形状は不連続である。
【００５３】
実際は、ブラシ毛の第２の部分のテーパの度合いは、金型からブラシ毛を確実に取り除くことができる最小限の度合いと一致する。ブラシ毛の第２の部分の機能に関する限りは、実質的に一定の直径にすることも可能である。
【００５４】
この実施の形態において、ブラシ毛の第１の部分５はベースから約１２．０ｍｍ延びており、第２の部分６は、第１の部分の端部からブラシ毛の端部に向かってさらに約６．４ｍｍ延びている。ブラシ毛のドーム状の端部の曲率半径は約０．４ｍｍである。
【００５５】
楕円形状の断面の長軸に沿ったベースにおいて計測すると、ブラシ毛の第１の部分の最大幅の部分は、約４．９５ｍｍである。楕円形状の断面の短軸に沿って計測した、ブラシ毛のベースの最も狭い部分は、約２．２ｍｍの奥行きである。短軸に沿ったブラシ毛の側面は、約６．２°の角度で互いに近づいている。長軸に沿ったブラシ毛の側面は、徐々に角度を増加させ、なだらか曲面を形成して互いに近づいている。ブラシ毛の２つの側面の間のテーパの平均角度は、おおよそ１９°であり、すなわち、一方の側面がテーパというよりもむしろ直線的であった場合は、他方の側面は、このようなテーパの角度が必要になる。
【００５６】
ブラシ毛の第１の部分の端部は、直径が約１ｍｍの実質的な円形の断面である。
【００５７】
ブラシ毛の全長の第２の部分にわたって、ブラシ毛の側面は２°の角度で互いに近づいており、結果として、ドーム状の端部を含まないブラシ毛の自由端の直径は、約０．８ｍｍである。
【００５８】
他で説明するように、他の寸法も可能である。特に、ブラシ毛の第２の部分は約１．２ｍｍの直径までテーパになるような、ブラシ毛の寸法にすることができる。
【００５９】
それぞれの配列は略長方形の形状をしており、髪の間を長方形の長辺と概ね垂直な方向に移動させるように意図されている。
【００６０】
配列の中のそれぞれのブラシ毛は、複数のブラシ毛の長い行の一部を形成し、複数のブラシ毛の短い行は長い行に対して横方向に延びている。
【００６１】
それぞれの長い行は、非常にわずかに湾曲しており（しかし実質的に直線状にもできる）、実質的に平行にかつ実質的に均一に間隙を介して相隔たっている。それぞれの長い行において、複数のブラシ毛は実質的に均一に間隙を介して相隔たっており、複数のブラシ毛の第１の部分の楕円形の断面の長軸が、全て実質的に同一直線上に位置している。それぞれの長い行において、複数のブラシ毛は同じだけ間隔を空けており、隣接する複数の長い行は、１つの行の複数のブラシ毛の断面の中心が隣接する行の隣接する複数のブラシ毛の間の中ほどに位置するように、互いにオフセットされている。
【００６２】
それぞれの短い行は、実質的に直線状かつ実質的に平行である。それぞれの短い行において、複数のブラシ毛は実質的に均一に間隙を介して相隔たっており、複数のブラシ毛の第１の部分の楕円形の断面の短軸が、全て実質的に同一直線上に位置している。それぞれの短い行において、複数のブラシ毛は同じだけ間隔を空けており、それぞれの短い行のそれぞれのブラシ毛のベースが、隣接する短い行、または隣接する短い行のそれぞれの隣接する２つのブラシ毛の間で部分的に延びるように、それぞれの短い行の中心線は間隙を介して相隔たっている。
【００６３】
この実施の形態においては、各配列は、１６のブラシ毛を備えた２つの長い行と１５のブラシ毛を備えた２つの長い行とからなり、３２の短い行を形成する４つの長い行から構成されている。もちろん、要望や適切性に応じて、行の数や各行のブラシ毛の数は変更することができる。
【００６４】
この実施の形態においては、それぞれの長い行の複数のブラシ毛は約２．１ｍｍの間隔を空けており、隣接する複数の長い行の中心線は２．９ｍｍの間隔を空けている。その結果、１つの行のブラシ毛と、隣接する行のブラシ毛との間の最小の間隙は、１．３ｍｍである。他で説明するように、他の寸法も可能である。
【００６５】
複数のブラシ毛は、同じ材料で一体にモールド成形されているが、異なる断面と形状のおかげで、第１の部分は第２の部分よりもかなり固い。実際には、使用時においては、第２の部分が弾性的に柔軟であるのに対して、第１の部分は実際上は実質的に曲がらない。実際には、別の実施の形態においては、弾性的で柔軟な第２の部分を備えた方が好ましいが、第２の部分もまた、曲がらないか、または相対的に固くすることもできる。
【００６６】
複数のブラシ毛の複数の第２の部分は、利用できる表面領域の５０％に大きく満たない部分を占有しているが、複数のブラシ毛の複数の第１の部分の複数のベースは、配列が延びる表面領域のかなりの部分（５０％以上）を占有している。
【００６７】
複数のブラシ毛の長い行の全長にわたって、複数のブラシ毛の第１の部分のベースの幅が、その行の隣接する複数のブラシ毛との間隔よりも大きいため、複数のブラシ毛の長い行と垂直な方向から見たときに、それぞれのブラシ毛は、隣接する複数の行の隣接する複数のブラシ毛のベースの間の隙間を塞いでいる。複数のブラシ毛の第１の部分の形状のおかげで、隣接する複数のブラシ毛の間の隙間が、ベースより上のブラシ毛の部分の全長の長さの半分を少し越えた範囲で塞がれている。
【００６８】
図１３乃至図１６は、別の形態のヘアブラシを示している。略長方形の複数のブラシ毛の各配列が３つの実質的に平行な複数のブラシ毛の長い行で構成されていることを除き、このヘアブラシは、図１乃至図４で示したヘアブラシと実質的に同じであり、ブラシの各部分は同じ参照番号で示されている。ブラシのそれぞれの外側の端の２つの配列は、１３、１４、及び１３のブラシ毛からなる長い行により構成されており、２つのブラシ毛からなる１３の短い行と１４の単独のブラシ毛とを交互に形成している。２つの外側の配列の間に並んで位置している２つの配列は、１４、１３、及び１４のブラシ毛からなる長い行により構成されている。
【００６９】
図１７乃至図１９は、ラウンドブラシと呼ばれる別の形態のヘアブラシを示している。ブラシは、細長い本体７を備えている。本体の一方の端部８は円筒状であり、他方の端部９は快適な取っ手を形成するように形作られている。本体の円筒状の端部８は、径方向に延びる複数のブラシ毛４からなる６つの略長方形の配列を支持している。ブラシのそれぞれの配列は、図５乃至図１２で示したタイプの１３、１２、及び１３のブラシ毛からなる３つの平行な長い行により構成されている。複数のブラシ毛の各行は本体の円筒状の端部８の軸と平行に延びており、各行は本体の外周上で均一の間隙を介して相隔たっており、それぞれの配列の間の間隔は、各配列における個々の行の間の間隔よりも大きい。
【００７０】
さらに図２０は、他の形態のヘアブラシを示している。このブラシは、細長い本体１１から構成されている。本体の一方の端部には、図２３乃至図２６においてより詳細に説明する、ブラシ毛１３からなる略長方形の配列を支持する、細長い略長方形のパドル１２が備えられている。ブラシ毛の配列は、髪の間を長方形の長辺と概ね垂直な方向に移動させるように意図されている。本体の対向する端部は、快適な取っ手１４を形成するように形作られている。
【００７１】
配列の個々のブラシ毛はそれぞれ、他のブラシ毛と実質的に同一である。全てのブラシ毛は、弾性的で柔軟なプラスチック材料によって、ベース１５と一緒に、一体にモールド成形されている。適切な材料は、図５乃至図１２で説明したブラシ毛に関して上述したものである。
【００７２】
それぞれのブラシ毛は、長軸と垂直方向の短軸を備えた略楕円状の断面であるベースを備えている。テーパが付いたブラシ毛はベース１５から離れて延びている。ブラシ毛の断面形状が楕円から実質的な円に変化するように、ブラシ毛の全長の第１の部分１６において、ブラシ毛はテーパが付いている。
【００７３】
図２１は、ブラシ毛の配列の側面図を示している。延ばした短軸が通るブラシ毛のエッジは、実質的に一定の角度で互いに近づいており、ブラシ毛のエッジは、実質的な直線である。
【００７４】
図２２は、ブラシ毛の配列の端部から見た図を示している。この図からわかるように、延ばした長軸が通るブラシ毛のエッジは、ブラシ毛がベースから離れるに従い、角度を大幅に大きく増加させて互いに近づいている。対向するエッジは、湾曲軌道で互いに近づいている。
【００７５】
ブラシ毛の第１の部分１６の端部は、断面が実質的な円形である。この点において、ブラシ毛の第２の部分１７が始まる。ブラシ毛の第２の部分にわたって、ブラシ毛の断面は実質的な円形を維持し、ドーム状の表面の自由端に向かって、ブラシ毛はテーパが付いている。ブラシ毛の第２の部分におけるテーパの度合いは、特に第２の部分と隣接した第１の部分のテーパの度合いと比較すると、第１の部分よりもかなり小さい。したがって、第１の部分と第２の部分との接点におけるブラシ毛の表面形状は不連続である。
【００７６】
実際は、ブラシ毛の第２の部分のテーパの度合いは、金型からブラシ毛を確実に取り除くことができる最小限の度合いと一致する。ブラシ毛の第２の部分の機能に関する限りは、実質的に一定の直径にすることも可能である。
【００７７】
この実施の形態において、ブラシ毛の第１の部分１６はベースから約１２．０ｍｍ延びており、第２の部分１７は、第１の部分の端部からブラシ毛の端部に向かってさらに約６．４ｍｍ延びている。ブラシ毛のドーム状の端部の曲率半径は約０．４ｍｍである。
【００７８】
楕円形状の断面の長軸に沿ったベースにおいて計測すると、ブラシ毛の第１の部分の最大幅の部分は、約３．５ｍｍである。楕円形状の断面の短軸に沿って計測した、ブラシ毛のベースの最も狭い部分は、約１．５ｍｍの奥行きである。短軸に沿ったブラシ毛の側面は、約２．４°の角度で互いに近づいている。長軸に沿ったブラシ毛の側面は、徐々に角度を増加させ、徐々に半径が減少するなだらか曲面を形成して互いに近づいている。ベースにおけるブラシ毛の２組の側面の間のテーパの初期角度は、おおよそ３．１°である。
【００７９】
ブラシ毛の第１の部分の端部は、直径が約１ｍｍの実質的な円形の断面である。
【００８０】
ブラシ毛の全長の第２の部分にわたって、ブラシ毛の側面は２°の角度で互いに近づいており、結果として、ドーム状の端部を含まないブラシ毛の自由端の直径は、約０．８ｍｍである。
【００８１】
他で説明するように、他の寸法も可能である。
【００８２】
この配列において、複数のブラシ毛は、実質的に直線で、実質的に平行な２つの長い行に配列されている。それぞれの行において、複数ブラシ毛は実質的に均一に間隙を介して相隔たっており、複数のブラシ毛の第１の部分の楕円形の断面の短軸が、全て実質的に同一直線上に位置している。それぞれの行において、複数のブラシ毛は同じだけ間隔を空けており、隣接する行は、１つの行の複数のブラシ毛の断面の中心が隣接する行の隣接する複数のブラシ毛の間の中ほどに位置するように、互いにオフセットされている。この実施の形態においては、それぞれの行は、１８のブラシ毛を備えている。もちろん、要望や適切性に応じて、行の数や各行のブラシ毛の数は変更することができる。３行、４行またはそれ以上の行にする実施形態も可能である。
【００８３】
この実施の形態においては、それぞれの行の複数のブラシ毛は同じの間隙を介して相隔たっており、それぞれのブラシ毛の中心は約２．４ｍｍの間隔を空けており、隣接する行の中心線は２．９ｍｍの間隔を空けている。結果として、複数のブラシ毛の行と平行な方向から見たときに、複数のブラシ毛のベースにおいて２つの行は互いに重なっており、１つの行の複数のブラシ毛のベースは、隣接する行の隣接する２つのブラシ毛の間で部分的に延びている。図２２においてよく分かるように、複数のブラシ毛の第１の部分の形状のおかげで、隣接するブラシ毛の間の隙間が、ベースより上のブラシ毛の部分の全長の長さの半分を少し越えた範囲で塞がれている。複数のブラシ毛の行と垂直な方向から見たときに、ブラシ毛の全長にわたって、隣接するブラシ毛の間に隙間がある。この隙間は、複数のブラシ毛のベースの位置において、０．９ｍｍの最小幅を備えている。
【００８４】
他で説明するように、他の寸法も可能である。
【００８５】
複数のブラシ毛は、同じ材料で一体にモールド成形されているが、異なる断面と形状のおかげで、第１の部分は第２の部分よりもかなり固い。実際には、使用時においては、第２の部分が弾性的に柔軟であるのに対して、第１の部分は実際上は実質的に曲がらない。
【００８６】
複数のブラシ毛の複数の第２の部分は、利用できる表面領域の５０％に大きく満たない部分を占有しているが、複数のブラシ毛の複数の第１の部分の複数のベースは、配列が延びる表面領域のかなりの部分（５０％以上）を占有している。
【００８７】
図１乃至図１９で説明したパドルブラシ及びラウンドブラシは、髪に張力を加えることができるため、髪を乾かしながらのスタイリングに特に適している。髪にブラシをかける際、まず相対的に薄くて柔軟なブラシ毛の第２の部分が髪に接する。これらの部分は、容易に髪に入りこんで、ブラシ毛の間に髪を分ける。そして、これらが柔軟なおかげで、髪からもつれを取り除く助けになる。ブラシが髪に追い立てられるように、相対的に固いブラシ毛の第１の部分の間のますます狭い間隙の中に髪が移動する。使用時には長い行の方向の概ね垂直な方向に髪を横切ってひき、ブラシ毛の長い行のオフセットの関係は、ベースの上のブラシ毛の第１の部分の高さのほとんどで見通し線（line of sight）がない複雑な通路に髪を押し込まさせて、ブラシ毛の間を曲がりくねって進ませる。ブラシが髪に追い立てられるようにブラシ毛の間の次第に狭くなる間隙に髪を押し進めるだけでなく、髪にこの通路を通させると、ブラシと髪との間の摩擦が増加し、何度もブラシを髪で覆う必要なく、髪に張力を加えることができる。ブラシのストロークの最後において、ブラシを容易に髪から離すことができる。髪の上のブラシの圧力が除去される時点で、ブラシ毛の第１の部分の形状は、髪がブラシ毛から簡単に離れて、複数のブラシ毛の間の間隔がより大きい領域に入っていくことを許容している。このことは、髪がブラシに結びつけられるリスクを減少させている。
【００８８】
図２０乃至図２６で説明したブラシは、髪を逆立てるものに特に適している。他の実施の形態と同様に、相対的に薄くて柔軟なブラシ毛の第２の部分は、容易に髪に入りこんで、ブラシ毛の間に髪を分ける。このことは、ブラシ毛の第１の部分の間の相対的に狭い間隙において髪を捕らえることを可能にする。髪を逆立てる技術で要求されるのと同様に、狭い間隙は髪とブラシ毛との摩擦を増加させ、ブラシが効果的に髪を掴み、髪をすくことを可能にする。このように十分な塊が作り出された際は、整った仕上がりを提供するために、ブラシ毛の第２の部分は髪の外層を滑らかにするために用いられる。このブラシは、より効果的に髪をすいて塊を作るだけでなく、それに続く滑らかにするステップが、同じブラシで行われることを許容し、２つの異なるブラシまたはくしを使用することが必要になるのを避けている。
【００８９】
上述の実施の形態は、ほんの一例を説明したものである。添付の特許請求の範囲で規定される発明の範囲から離れない、たくさんの変形例が可能である。
【図１】
0006647226.tif 000002
【図２】
0006647226.tif 000003
【図３】
0006647226.tif 000004
【図４】
0006647226.tif 000005
【図５】
0006647226.tif 000006
【図６】
0006647226.tif 000007
【図７】
0006647226.tif 000008
【図８】
0006647226.tif 000009
【図９】
0006647226.tif 000010
【図１０】
0006647226.tif 000011
【図１１】
0006647226.tif 000012
【図１２】
0006647226.tif 000013
【図１３】
0006647226.tif 000014
【図１４】
0006647226.tif 000015
【図１５】
0006647226.tif 000016
【図１６】
0006647226.tif 000017
【図１７】
0006647226.tif 000018
【図１８】
0006647226.tif 000019
【図１９】
0006647226.tif 000020
【図２０】
0006647226.tif 000021
【図２１】
0006647226.tif 000022
【図２２】
0006647226.tif 000023
【図２３】
0006647226.tif 000024
【図２４】
0006647226.tif 000025
【図２５】
0006647226.tif 000026
【図２６】
0006647226.tif 000027